(57)【要約】【課題】光学観察装置において、ギャップを介して配置された２つの光学素子間での表面反射に起因したゴーストを目立たなくする。【解決手段】光学観察装置は、第１の入射面１Ａ、反射面１Ｃ及び反射透過面１Ｂを有し、第１の入射面から入射した物体からの光を反射透過面で反射し、反射面で反射した後、反射透過面から射出する第１の光学素子１と、第２の入射面２Ａ及び射出面２Ｂを有し、第１の光学素子の反射透過面から射出して第２の入射面から入射した光を射出面から射出する第２の光学素子２と、第２の光学素子の射出面からの光が入射する接眼光学系３〜５とを有する。反射透過面及び第２の入射面は、第１の入射面から遠い位置ほど接眼光学系から遠ざかるように形成されている。反射透過面と第２の入射面は、第１の入射面から遠い位置ほど狭くなるギャップを挟んで配置されている。【選択図】図２
2008310157.tif 000002
【特許請求の範囲】
【請求項１】
第１の入射面、反射面及び反射透過面を有し、前記第１の入射面から入射した物体からの光を前記反射透過面で反射し、前記反射面で反射した後、前記反射透過面から射出する第１の光学素子と、
第２の入射面及び射出面を有し、前記反射透過面から射出して前記第２の入射面から入射した光を前記射出面から射出する第２の光学素子と、
前記射出面からの光が入射する接眼光学系とを有し、
前記反射透過面及び前記第２の入射面は、前記第１の入射面から遠い位置ほど前記接眼光学系から遠ざかるように形成されており、
前記反射透過面と前記第２の入射面は、前記第１の入射面から遠い位置ほど狭くなるギャップを挟んで配置されていることを特徴とする光学観察装置。
【請求項２】
前記反射透過面から射出して前記第２の入射面を透過し、前記射出面から前記接眼光学系に向かう光線と、前記反射透過面から射出して前記第２の入射面で反射し、前記反射透過面で反射して前記第２の入射面を透過し、前記射出面から前記接眼光学系に向かう光線との間のずれ量を光線ずれ量とするとき、
前記ギャップは、観察視野全体での光線ずれ量が等しくなるように設定されていることを特徴とする請求項１に記載の光学観察装置。
【請求項３】
前記第１の入射面は、前記物体からの光束が入射してくる方向において、前記反射透過面から遠い位置ほど物体側に近づくように形成されていることを特徴とする請求項１又は２に記載の光学観察装置。
【請求項４】
前記射出面は、前記第２の入射面から遠い位置ほど前記接眼光学系に近づくように形成されていることを特徴とする請求項１から３のいずれか１つに記載の光学観察装置。
【請求項５】
前記接眼光学系の一部が他の部分に対して偏心するように又は倒れるように配置されていることを特徴とする請求項１から４のいずれか１つに記載の光学観察装置。
【請求項６】
請求項１から５のいずれか１つに記載の光学観察装置と、
前記物体からの光により形成された物体像を光電変換する撮像素子とを有することを特徴とする撮像装置。
【発明の詳細な説明】
【技術分野】
【０００１】
本発明は、物体からの光により形成される物体像を接眼光学系を通して観察者に観察させる光学観察装置に関し、特に、ビデオカメラやスチルカメラ等の撮像装置に搭載される光学ファインダとして好適なものである。
【背景技術】
【０００２】
一眼レフカメラの光学ファインダでは、撮像レンズを通った物体（被写体）からの光束を、可動ミラーを介してフォーカシングスクリーンのマット面上に結像させる。マット面上の物体像からの光束は、ペンタダハプリズム内で反射された後、接眼光学系に導かれる。これにより、撮影者（観察者）が接眼光学系を通じて、マット面上の物体像を観察することができる
また、光学ファインダの小型化と高性能化を図るために、ペンタダハプリズムに代えて２つのプリズムを微小な間隔（ギャップ）を介して配置した光学ファインダが特許文献１に開示されている。この光学ファインダでは、第１のプリズムに、入射面、反射透過面及び射出面を設け、入射面から入射した光を反射透過面で反射した後、反射面で反射して反射透過面から射出させる。そして、その射出光を第２のプリズムを透過させて接眼光学系に導く。
【０００３】
また、光学ファインダではなくプロジェクタの光学系であるが、２つのプリズムを熱膨張による相互の干渉を防止するために広めのギャップを介して配置した構成が特許文献２に開示されている。この光学系では、第１のプリズムに、入射面、反射透過面及び透過面を設け、入射面から入射した光源からの光を反射透過面で反射した後、透過面から射出して表示素子に入射させる。さらに、表示素子で反射された光を透過面から第１のプリズムに再入射させ、反射透過面を透過させて第２のプリズムに入射させる。第２のプリズムに入射した光はこれを透過して投射レンズに入射する。
【０００４】
第１及び第２のプリズム間のギャップは、第１のプリズムの入射面に近いほど狭くなるくさび形状となっている。このくさび形状のギャップにより、第１のプリズムの反射透過面のうち広いギャップ部分に面した位置から射出して第２のプリズムに入射する光の光路と狭いギャップ部分に面した位置から射出して第２のプリズムに入射する光の光路との差を小さくしている。
【特許文献１】特開平１０−２０６９３３号公報
【特許文献２】特開２００２−４９０９４号公報
【発明の開示】
【発明が解決しようとする課題】
【０００５】
２つのプリズムをギャップを介して配置した場合、第１のプリズムの射出面から射出して第２のプリズムの入射面に到達した光の一部は、該入射面で表面反射するおそれがある。この反射光は、例えば、第１のプリズムの射出面に戻されてここで表面反射した後、第２のプリズムに入射面を透過して入射する。このとき、上記のような表面反射を経ずに第２のプリズムにそのまま入射した光と該表面反射を経た光とがずれる。
【０００６】
このずれが光学ファインダで発生すると、表面反射を経た光がゴーストとなり、良好なファインダ観察を行えない。
【０００７】
特許文献１，２の光学系のいずれも、上記のようなギャップを設けたことで発生する表面反射によるゴーストに関してその低減方法や目立たなくする方法を開示していない。
【０００８】
本発明は、ギャップを介して配置された２つの光学素子間での表面反射に起因したゴーストを目立たなくすることができるようにした光学観察装置及びこれを備えた撮像装置を提供する。
【課題を解決するための手段】
【０００９】
本発明の一側面としての光学観察装置は、第１の入射面、反射面及び反射透過面を有し、第１の入射面から入射した物体からの光を反射透過面で反射し、反射面で反射した後、反射透過面から射出する第１の光学素子と、第２の入射面及び射出面を有し、第１の光学素子の反射透過面から射出して第２の入射面から入射した光を射出面から射出する第２の光学素子と、第２の光学素子の射出面からの光が入射する接眼光学系とを有する。そして、反射透過面及び第２の入射面は、第１の入射面から遠い位置ほど接眼光学系から遠ざかるように形成されている。さらに、反射透過面と第２の入射面は、第１の入射面から遠い位置ほど狭くなるギャップを挟んで配置されていることを特徴とする。
【００１０】
なお、上記光学観察装置を備えた撮像装置も本発明の他の側面を構成する。
【発明の効果】
【００１１】
本発明によれば、ゴーストの発生位置を観察視野全体でほぼ均一にすることができ、良好な物体観察が可能な光学観察装置を実現することができる。
【発明を実施するための最良の形態】
【００１２】
以下、本発明の好ましい実施例について図面を参照しながら説明する。
【実施例１】
【００１３】
図１には、本発明の実施例１である光学観察装置としての光学ファインダを搭載した一眼レフデジタルカメラ（撮像装置）の構成を示している。
【００１４】
図１において、１３は一眼レフデジタルカメラ（以下、単にカメラという）であり、１２は該カメラ１３に対して着脱が可能な交換レンズである。交換レンズ１２において、９〜１１は撮像光学系を構成するレンズである。
【００１５】
また、カメラ１３において、８はクイックリターンミラーであり、７はピント板である。第１のプリズム（第１の光学素子）であり、２は第２のプリズム（第２の光学素子）である。また、３〜５は接眼光学系を構成するレンズである。これら、ピント板７、第１のプリズム１、第２のプリズム２及び接眼光学系（３〜５）により、光学ファインダが構成される。
【００１６】
図示の状態において、物体（被写体）からの光は、交換レンズ１２（撮像光学系）を通ってクイックリターンミラー８に入射し、ここで上方に反射されてピント板７上に結像する。ピント板７上の物体像（被写体像）からの光は、第１及び第２のプリズム１，２を介して接眼光学系に入射し、撮影者（観察者）の眼６に到達する。
【００１７】
第１のプリズム１は、ピント板７上に形成された物体像を上下左右に反転して正立正像に変換し、これを第２のプリズム２及び接眼光学系を介して撮影者に提示する。
【００１８】
１５はＣＣＤセンサやＣＭＯＳセンサ等の固体撮像素子であり、撮像光学系により形成された物体像を光電変換する。画像処理回路（図示せず）は、撮像素子１５の出力信号から画像を生成する。生成された画像は、カメラ１３の背面に設けられた不図示のディスプレイに表示されたり、不図示の記録媒体（半導体メモリ等）に記録されたりする。
【００１９】
クイックリターンミラー８は、光学ファインダを通して物体像を観察させる状態（ファインダ観察状態）では、図示のように撮像光学系からの光路（撮像光路）内に斜めに配置されて、被写体からの光束の一部を光学ファインダ側に導く。また、撮像時には、撮像光路外（上方）に退避して、物体からの光束を固体撮像素子１５の受光面に到達させる。
【００２０】
図２には、図１に示した光学ファインダの第１及び第２のプリズム１，２を拡大して示す。第１のプリズム１（以下、単にプリズム１という）は、ピント板７に対して一定距離を離れて配置されている。プリズム１は、入射面（第１の入射面）１Ａと、反射透過面１Ｂと、反射面１Ｃとを有する。
【００２１】
第２のプリズム２（以下、単にプリズム２という）は、入射面（第２の入射面）２Ａと、射出面２Ｂとを有する。プリズム２は、その入射面２Ａがプリズム１の反射透過面１Ｂから離れるように、すなわち反射透過面１Ｂとの間にエアギャップＧを挟んで配置されている。
【００２２】
ここで、反射透過面１Ｂと入射面２Ａはともに、プリズム１の入射面１Ａから遠い位置（図の上側）ほど接眼光学系から遠ざかるように（左側に傾くように）、接眼光学系の光軸に直交する面に対して傾斜した平面として形成されている。
【００２３】
さらに、反射透過面１Ｂと入射面２Ａとは非平行に配置されている。具体的には、反射透過面１Ｂと入射面２Ａ間のエアギャップＧが、プリズム１の入射面１Ａから遠い位置（図では上側の位置）ほど、言い換えれば接眼光学系から遠い位置ほど狭くなるように配置されている。つまり、図の上側でのエアギャップＧの幅Ｙ２は、下側（入射面１Ａ側）での幅Ｙ１より狭い。
【００２４】
プリズム１の入射面１Ａは、図１に示す撮像光学系の光軸１０１上を進み、クイックリターンミラー８を介してプリズム１，２に入射する中心光線１０２の光路を光学ファインダの光軸とするとき、該光学ファインダの光軸に直交する平面として形成されている。したがって、入射面１Ａは、ピント板７と平行に配置されている。なお、中心光線１０２は、プリズム２からの射出後、接眼光学系の光軸上を進む光線でもある。
【００２５】
また、プリズム１の反射面１Ｃは、プリズム１の入射面１Ａから遠い位置（図では上側の位置）ほど接眼光学系に近づくように傾斜した平面として形成されている。なお、反射面１Ｃは実際にはダハ面として形成されており、ここでピント板７上の物体像を左右反転させる。
【００２６】
さらに、プリズム２の射出面２Ｂは、接眼光学系の光軸に対して直交する平面として形成されている。
【００２７】
以上のように構成された光学ファインダでの光の伝達について説明する。撮像光学系の光軸１０１上を進み、クイックリターンミラー８で反射されてピント板７におけるファインダ視野の中心に相当する位置を通過した中心光線１０２は、プリズム１の入射面１Ａからプリズム１内に入射する（１０２ａ）。
【００２８】
そして、該中心光線１０２は、反射透過面１Ｂに対して臨界角以上の入射角で入射し、ここで全反射されて反射面１Ｃに向かう（１０２ｂ）。
【００２９】
次に、中心光線１０２は、ダハ面としての反射面１Ｃで２回反射されて（図には１回のみ反射されているように示す）、プリズム２及び接眼光学系の方向に向かう（１０２ｃ）。
【００３０】
その後、中心光線１０２は、反射透過面１Ｂに対して臨界角より小さな入射角で到達し、ここを透過してプリズム１から射出する。このとき、中心光線１０２は、反射透過面１Ｂでの屈折作用を受けて斜め下方に屈折する（１０２ｄ）。
【００３１】
プリズム１（反射透過面１Ｂ）から射出した中心光線１０２は、次にプリズム２の入射面２Ａからプリズム２内に入射する（１０２ｅ）。そして、中心光線１０２は、プリズム２の射出面２Ｂから射出して（１０２ｆ）、接眼光学系を通過して眼６に入射する。
【００３２】
１０３（１０３ａ〜１０３ｆ）及び１０４（１０４ａ〜１０４ｆ）はそれぞれ、ピント板７におけるファインダ視野の中心よりも下側及び上側の周辺部に相当する位置を通過する周辺光線である。これら周辺光線１０３，１０４の光学ファインダ内での伝達の仕方は、中心光線１０２と同じである。以下の説明において、周辺光線１０３を下側周辺光線といい、周辺光線１０４を上側周辺光線ともいう。
【００３３】
ただし、中心光線１０２は、光学ファインダの光軸に対して直交する面であるプリズム１の入射面１Ａに対して垂直に入射するのでここでは屈折しないが、入射面１Ａの法線に対して傾いて（収束して）入射する周辺光線１０３，１０４はここでわずかに屈折する。
【００３４】
ここで、図６を用いて、反射透過面１Ｂと入射面２Ａとが平行に配置されている場合（エアギャップＧの幅Ｙ５が一定である場合）の問題点について説明する。
【００３５】
図６において、中心光線２０１（２０１ａ〜２０１ｆ）及び周辺光線２０２（２０２ａ〜２０２ｆ），２０３（２０３ａ〜２０３ｆ）の伝達の仕方は、図２で説明したのと基本的には同じである。
【００３６】
ただし、プリズム１の反射透過面１Ｂとプリズム２の入射面２Ａとの間にエアギャップＧが設けられていることで、ここでの表面反射が問題となる。すなわち、屈折率の異なる境界面では、一般に透過率が９６％程度であり、数％の表面反射が発生してしまう。たとえ境界面に反射防止コーティングを施したとしても１〜２％程度の反射が発生してしまう。
【００３７】
周辺光線２０２，２０３について見てみると、反射透過面１Ｂから屈折しながら射出して入射面２Ａで表面反射した周辺光線２０２ｇ，２０３ｇは、反射透過面１Ｂに向かい、該反射透過面１Ｂで表面反射して、再度入射面２Ａに向かう（２０２ｈ，２０３ｈ）。そして、これら表面反射を経た周辺光線２０２ｈ，２０３ｈは、プリズム２の入射面２Ａを透過してプリズム２内に入射し（２０２ｉ，２０３ｉ）、さらに接眼光学系へと進む（２０２ｊ，２０３ｊ）。
【００３８】
これら表面反射を経て接眼光学系に入射した周辺光線２０２ｊ，２０３ｊは、表面反射を経ずに接眼光学系に入射した周辺光線（以下、周辺正規光線という）２０２ｆ，２０３ｆに対して下方にずれているので、ゴーストを発生させる。
【００３９】
しかも、周辺ゴースト光線２０２ｊ，２０３ｊの周辺正規光線２０２ｆ，２０３ｆに対するずれ量はそれぞれ、幅Ｘ５及び幅Ｘ６（＜Ｘ５）であり、互いに大きく異なる。この結果、ファインダ視野内において、本来の物体像に対するずれ量が上側ほど大きくなるゴースト像（つまりは、ファインダ視野内の不均一なゴースト像）が観察されてしまい、良好な物体像観察が著しく妨げられてしまう。
【００４０】
このように周辺ゴースト光線の周辺正規光線に対するずれ量に上下で差が発生するのは、下側周辺光線２０２ｄと上側周辺光線２０３ｄとで反射透過面１Ｂからの射出角、つまりは入射面２Ａに対する入射角に差があるためである。
【００４１】
撮像光学系を射出した光束は、収束しながらクイックリターンミラー８で反射されてピント板７上で結像し、さらに収束状態を維持しながらプリズム１，２を経て接眼光学系に向かう。さらに、プリズム１の反射透過面１Ｂで光束を全反射させるために、該反射透過面１Ｂは、上述したように上側ほど接眼光学系から遠ざかるように傾きを持っている。
【００４２】
これらの理由により、上側周辺光線２０３ｃの反射透過面１Ｂへの入射角は、下側周辺光線２０２ｃの入射角よりも大きくなり、この結果、反射透過面１Ｂから射出する上側周辺光線２０３ｄの方が下側周辺光線２０２ｄより大きく下方に屈折する。このため、上側周辺光線２０３ｄはプリズム２の入射面２Ａ、さらには反射透過面１Ｂで、下側周辺光線２０２ｄよりも大きな角度で２回表面反射する（２０３ｇ〜２０３ｈ，２０２ｇ〜２０２ｈ）。したがって、上側周辺ゴースト光線２０３ｊの上側周辺正規光線２０３ｆに対するずれ量Ｘ５の方が、下側周辺ゴースト光線２０２ｊの下側周辺正規光線２０２ｆに対するずれ量Ｘ６よりも大きくなる。
【００４３】
なお、エアギャップ幅Ｙ５を極限まで小さくすることで、このようなゴースト像のずれ量の不均一を軽減することも考えられる。しかし、エアギャップ幅Ｙ５を小さくするにも限界があるため、難しい。
【００４４】
このため、本実施例では、プリズム１の反射透過面１Ｂとプリズム２入射面２Ａとの間で上側の位置ほど接眼光学系から遠ざかるように傾いたエアギャップＧを、上側の位置ほど（接眼光学系から遠い位置ほど）狭くなるように設定している。つまり、下側のエアギャップ幅Ｙ１に比べて上側のエアギャップ幅Ｙ２を狭くすることで、本来の物体像とゴースト像とのずれ量をファインダ視野全体でほぼ均一にし、図６の場合に比べて良好な物体像観察が行えるようにしている。
【００４５】
図２において、このことについて説明する。上側周辺光線１０４ｃの反射透過面１Ｂへの入射角が、下側周辺光線１０３ｃの入射角よりも大きくなり、反射透過面１Ｂから射出する上側周辺光線１０４ｄの方が下側周辺光線１０３ｄより大きく下方に屈折することは図５の場合と同じである。また、反射透過面１Ｂから射出した上側周辺光線１０４ｄが、プリズム２の入射面２Ａ、さらには反射透過面１Ｂで、下側周辺光線１０３ｄよりも大きな角度で２回表面反射する（１０４ｇ〜１０４ｈ，１０３ｇ〜１０３ｈ）ことも図５の場合と同じである。
【００４６】
しかし、本実施例では、以下の効果が得られるように下側のエアギャップ幅Ｙ１に比べて上側のエアギャップ幅Ｙ２を狭くしている。すなわち、上側周辺光線１０４ｄ〜１０４ｈが反射透過面１Ｂを射出してから２回の表面反射を経てプリズム２の入射面２Ａに入射するまでに生じた周辺正規光線１０４ｅ（１０４ｆ）に対するずれ量（以下、光線ずれ量という）をＸ１とする。また、下側周辺光線１０３ｄ〜１０３ｈが反射透過面１Ｂを射出してから２回の表面反射を経てプリズム２の入射面２Ａに入射するまでに生じた周辺正規光線１０３ｅ（１０３ｆ）に対する光線ずれ量をＸ２とする。このとき、Ｘ１とＸ２とが等しくなるようにエアギャップ幅Ｙ１，Ｙ２を設定している。
【００４７】
これにより、ファインダ視野全体（観察視野全体）での光線ずれ量が等しくなるように、つまりはゴースト像の本来の物体像に対するずれ量（すなわち、物体像に対するゴースト像の発生位置）が均一になるようにすることができる。したがって、ゴースト像が目立たず、良好な物体像観察が可能な光学ファインダを実現することができる。
【００４８】
ここで、「Ｘ１とＸ２とが等しい」及び「光線ずれ量が等しい」とは、完全に一致する場合だけでなく、良好な物体像観察が行えるという観点で等しいとみなせる程度の差がある場合も含む。このことは、後述する説明において使用される「等しい」や「同じ」についても同様である。
【実施例２】
【００４９】
図３には、本発明の実施例２である光学ファインダのうちプリズム１，２の構成を示す。本実施例のプリズム１，２は、プリズム１の入射面１Ａ′を除き、実施例１のプリズム１，２と同じ構成を有する。エアギャップＧの幅も実施例１と同じである。また、プリズム１に入射してプリズム２から射出する光線の伝達の仕方も、実施例１と同じである。このため、プリズム１，２の入射面１Ａ′以外の各面と、プリズム１，２を通る中央光線、周辺光線及びエアギャップ幅には、実施例１と同符号を付してこれらの説明に代える。
【００５０】
実施例１のように、エアギャップＧの下側の幅Ｙ１に比べて上側の幅Ｙ２を狭く設定することによって、下側周辺光線１０３の光路長よりも上側周辺光線１０４の光路長が短くなる。そして、この光路長差に起因して、物体像に収差が生じるおそれがある。
【００５１】
このため、本実施例では、プリズム１の入射面１Ａ′を、物体からの光束が入射してくる方向（上下方向）において、反射透過面１Ｂから遠い位置ほど物体側に近づくように（下がるように）形成している。言い換えれば、光学ファインダの光軸に直交する平面に対して上記のように傾けている。図３中の点線１Ａは、実施例１での入射面１Ａの位置を示す。なお、プリズム２の射出面２Ｂは、実施例１と同様に、接眼光学系の光軸に対して直交する平面として形成されている。
【００５２】
このように、プリズム１の入射面１Ａ′のうち上側周辺光線１０４が入射する部分を下側周辺光線１０３が入射する部分よりもピント板７に近づけることで、両周辺光線１０３，１０４の光路長差を補正し、それらの光路長を等しくすることができる。さらに言えば、ファインダ視野全体での周辺光線の光路長を等しくすることができる。したがって、光路長差に起因した収差の発生を抑えることができる。
【実施例３】
【００５３】
図４には、本発明の実施例３である光学ファインダのうちプリズム１，２の構成を示す。本実施例のプリズム１，２は、実施例１のプリズム１，２と同じ構成を有する。ただし、エアギャップＧの幅は実施例１と異なる。また、プリズム１に入射してプリズム２から射出する光線の伝達の仕方も、実施例１と同じである。このため、プリズム１，２の各面と、プリズム１，２を通る中央光線、周辺光線には、実施例１と同符号を付してこれらの説明に代える。
【００５４】
本実施例では、エアギャップＧのうち上側の幅Ｙ４を零に設定している。つまり、プリズム１の反射透過面１Ｂのエッジ部１Ｄとプリズム２の入射面２Ａとを接触させている。エアギャップＧのうち下側の幅Ｙ３は零よりも大きく、反射透過面１Ｂと入射面２Ａとの間にはスペーサ１４を挿入して、幅Ｙ３の変動を防止している。もちろん、幅Ｙ３は、実施例１と同様に、ファインダ視野全体での光線ずれ量（例えば、上側の光線ずれ量Ｘ３と下側の光線ずれ量Ｘ４）が等しくなるように設定されている。
【００５５】
このように、反射透過面１Ｂのエッジ部１Ｄと入射面２Ａとを接触させることにより、プリズム１，２の組立てを容易に行うことができ、かつゴースト像の発生をより抑えることができる。
【００５６】
また、本実施例では、プリズム１の入射面１Ａを実施例１と同様に光学ファインダの光軸に直交する平面として形成する一方、プリズム２の射出面２Ｂ′を、接眼光学系の光軸に直交する面（図１の射出面）２Ｂに対して傾いた平面として形成している。射出面２Ｂ′の傾き方向は、エアギャップＧの狭い側（上側）ほど接眼光学系に近づく方向である。言い換えれば、プリズム２の入射面２Ａから遠い位置ほど接眼光学系に近づく方向である。
【００５７】
これにより、実施例２と同様に、エアギャップＧの幅が上下で異なることに起因する光学ファインダでの下側及び上側周辺光線１０３，１０４の光路長差を補正し、両周辺光線１０３，１０４の光路長を等しくすることができる。つまり、ファインダ視野全体での周辺光線の光路長を等しくすることができる。したがって、光路長差に起因した収差の発生を抑えることができる。
【００５８】
なお、本実施例のようにプリズム２の射出面２Ｂ′を傾ける構成と実施例２のようにプリズム１の入射面１Ａ′を傾ける構成とを組み合わせてもよい。
【実施例４】
【００５９】
図５には、本発明の実施例４である光学ファインダの構成を示す。本実施例のプリズム１，２は、実施例１のプリズム１，２と同じ構成を有する。ただし、エアギャップＧについては、実施例３と同様に、上側の幅Ｙ４を零とし、下側の幅をスペーサ１４を用いてＹ３としている。また、プリズム１に入射してプリズム２から射出する光線の伝達の仕方は、実施例１と同じである。このため、プリズム１，２の各面と、プリズム１，２を通る中央光線、周辺光線には、実施例１と同符号を付してこれらの説明に代える。
【００６０】
本実施例では、実施例２，３のようにプリズムの光学面を光軸に直交する面に対して傾けることで上下の光路長差を補正するのではなく、接眼光学系のうちの一部であるレンズ４を他の部分であるレンズ３，５に対して偏心させることで、光路長差を補正する。
【００６１】
図５に示す接眼光学系は、物体（プリズム）側から順に、凹凸凹のレンズを組み合わせた構成であるため、凸レンズ４を偏心させているが、他のレンズを偏心させてもよい。
【００６２】
また、レンズを偏心させるのではなく、他のレンズの光軸に対して倒すことでも光路長を補正することができる。
【００６３】
すなわち、本実施例では、プリズム１，２の間に設けた幅が変化するエアギャップで生じる光路長差を、接眼光学系内でのレンズの偏心又は倒れによって生じる収差を利用して補正している。これにより、ファインダ視野全体での周辺光線の光路長を等しくすることができ、光路長差に起因した収差の発生を抑えることができる。
【００６４】
なお、本実施例のような接眼光学系内でのレンズの偏心又は倒れと、実施例２，３のようにプリズムの光学面を傾ける構成とを組み合わせてもよい。
【００６５】
以上説明した各実施例は代表的な例にすぎず、本発明の実施に際しては、各実施例に対して種々の変形や変更が可能である。
【００６６】
例えば、上記各実施例では、プリズム１とプリズム２間のエアギャップＧを、ファインダ視野の上下方向にて幅が変化するように設定した場合について説明したが、ファインダ視野の左右方向にて幅が変化するように設定してもよい。この場合でも、上記各実施例と同様の効果が得られる。
【００６７】
また、上記各実施例では、一眼レフカメラに搭載される光学ファインダについて説明したが、本発明の他の実施例としては、レンズ一体型のカメラ（撮像装置）や、双眼鏡及び望遠鏡等の光学観察装置も含まれる。
【図面の簡単な説明】
【００６８】
【図１】本発明の実施例１である光学ファインダを搭載したカメラの構成を示す断面図。
【図２】実施例１の光学ファインダの拡大断面図。
【図３】本発明の実施例２である光学ファインダの拡大断面図。
【図４】本発明の実施例３である光学ファインダの拡大断面図。
【図５】本発明の実施例４である光学ファインダの拡大断面図。
【図６】比較例としての光学ファインダの拡大断面図。
【符号の説明】
【００６９】
１  第１のプリズム
２  第２のプリズム
３，４，５  接眼光学系（レンズ）
６  眼
７  ピント板
８  クイックリターンミラー
９，１０，１１  撮像光学系（レンズ）
１２  交換レンズ
１３  カメラ
１４  スペーサ
【図１】
2008310157.tif 000003
【図２】
2008310157.tif 000004
【図３】
2008310157.tif 000005
【図４】
2008310157.tif 000006
【図５】
2008310157.tif 000007
【図６】
2008310157.tif 000008